(57)【特許請求の範囲】
【請求項１】
バッテリーを備え、系統から供給される電力あるいは前記バッテリーから供給される電力によって駆動される基地局における通信制御方法において、
他の基地局に対して、前記バッテリーの蓄電残量を示す第１の蓄電残量情報を送信する送信ステップと、
他の基地局から、当該他の基地局のバッテリーの蓄電残量を示す第２の蓄電残量情報を受信すると、前記第１の蓄電残量情報に対応する蓄電残量よりも前記第２の蓄電残量情報に対応する蓄電残量が多いことに応じて、自基地局が収容する無線端末を当該他の基地局に移行させるよう制御する制御ステップと、
を含み、
前記送信ステップは、前記系統からの電力供給の停止に基づいて実行される、ことを特徴とする通信制御方法。
【請求項２】
前記系統からの電力供給の停止を検出するステップを更に含み、
前記送信ステップは、前記系統からの電力供給の停止が検出されたときに、又は、前記系統からの電力供給の停止が検出されてから所定時間経過後に、前記第１の蓄電残量情報の送信を開始する、又は他の基地局に対して前記第２の蓄電残量情報の送信を要求するステップを含む、ことを特徴とする請求項１に記載の通信制御方法。
【請求項３】
前記系統からの電力供給が停止する予定時刻を示す情報を取得するステップを更に含み、
前記送信ステップは、前記系統からの電力供給が停止する予定時刻よりも所定時間前に、前記第１の蓄電残量情報の送信を開始する又は他の基地局に対して前記第２の蓄電残量情報の送信を要求するステップを含む、ことを特徴とする請求項１に記載の通信制御方法。
【請求項４】
前記送信ステップは、前記第１の蓄電残量情報を、３ＧＰＰ規格で規定されるＬＯＡＤ ＩＮＦＯＲＭＡＴＩＯＮメッセージ又はＲＥＳＯＵＲＣＥ ＳＴＡＴＵＳ ＵＰＤＡＴＡメッセージに含めて送信する、ことを特徴とする請求項１〜３の何れか一項に記載の通信制御方法。
【請求項５】
バッテリーを備え、系統から供給される電力あるいは前記バッテリーから供給される電力によって駆動される基地局において、
他の基地局に対して、前記バッテリーの蓄電残量を示す第１の蓄電残量情報を送信する送信部と、
他の基地局から、当該他の基地局のバッテリーの蓄電残量を示す第２の蓄電残量情報を受信すると、前記第１の蓄電残量情報に対応する蓄電残量よりも前記第２の蓄電残量情報に対応する蓄電残量が多いことに応じて、自基地局が収容する無線端末を当該他の基地局に移行させるよう制御する制御部と、
を含み、
前記送信部による前記第１の蓄電残量情報の送信処理は、前記系統からの電力供給の停止に基づいて実行される、ことを特徴とする基地局。
【発明の詳細な説明】
【技術分野】
【０００１】
本発明は、ＳＯＮ技術をサポートする移動通信システムにおける通信制御方法及び基地局に関する。
【背景技術】
【０００２】
移動通信システムの標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）で標準化されているＬＴＥ（Ｌｏｎｇ  Ｔｅｒｍ  Ｅｖｏｌｕｔｉｏｎ）では、ＳＯＮ（Ｓｅｌｆ  Ｏｒｇａｎｉｚｉｎｇ  Ｎｅｔｗｏｒｋ）と称される技術が採用されている。ＳＯＮ技術によれば、基地局の運用中に、人手を要さずに、基地局の設定を自動で最適化できることが期待される（例えば、非特許文献１参照）。
【先行技術文献】
【非特許文献】
【０００３】
【非特許文献１】３ＧＰＰ技術レポート  「ＴＲ  ３６．９０２  V９．１．０」  ２０１０年３月
【発明の概要】
【発明が解決しようとする課題】
【０００４】
しかしながら、３ＧＰＰ規格で規定されているＳＯＮ技術においては、昨今の大規模停電等に代表される電力事情が考慮されていないため、基地局の設定を適切に最適化できないという問題がある。
【０００５】
そこで、本発明は、ＳＯＮ技術をサポートする移動通信システムにおいて、上述の課題を解決することを目的とする。
【課題を解決するための手段】
【０００６】
上述した課題を解決するために、本発明は以下のような特徴を有している。
【０００７】
まず、本発明に係る通信制御方法の特徴は、バッテリー（バッテリー１２）を備え、系統から供給される電力あるいは前記バッテリーから供給される電力によって駆動される基地局（基地局１０）における通信制御方法において、他の基地局に対して、前記バッテリーの蓄電残量を示す情報を送信する送信ステップを含む、ことを要旨とする。
【０００８】
本発明に係る通信制御方法の他の特徴は、上述した特徴において、前記送信ステップは、前記バッテリーの蓄電残量を示す情報を定期的に送信する、ことを要旨とする。
【０００９】
本発明に係る通信制御方法の他の特徴は、上述した特徴において、前記送信ステップは、前記系統からの電力供給の停止に基づいて実行される、ことを要旨とする。
【００１０】
本発明に係る通信制御方法の他の特徴は、上述した特徴において、前記系統からの電力供給の停止を検出するステップを更に含み、前記送信ステップは、前記系統からの電力供給の停止が検出されたときに、又は、前記系統からの電力供給の停止が検出されてから所定時間経過後に、前記バッテリーの蓄電残量を示す情報の送信を開始するステップを含む、ことを要旨とする。
【００１１】
本発明に係る通信制御方法の他の特徴は、上述した特徴において、前記系統からの電力供給が停止する予定時刻を示す情報を取得するステップを更に含み、前記送信ステップは、前記系統からの電力供給が停止する予定時刻よりも所定時間前に、前記バッテリーの蓄電残量を示す情報の送信を開始するステップを含む、ことを要旨とする。
【００１２】
本発明に係る通信制御方法の他の特徴は、上述した特徴において、前記インターフェースを用いて、前記他の基地局からの送信要求を受信するステップを更に含み、前記送信ステップは、前記他の基地局からの前記送信要求に応じて実行される、ことを要旨とする。
【００１３】
本発明に係る通信制御方法の他の特徴は、上述した特徴において、前記送信ステップは、前記バッテリーの蓄電残量を示す情報を、３ＧＰＰ規格で規定されるＬＯＡＤ  ＩＮＦＯＲＭＡＴＩＯＮメッセージ又はＲＥＳＯＵＲＣＥ  ＳＴＡＴＵＳ  ＵＰＤＡＴＡメッセージに含めて送信する、ことを要旨とする。
【００１４】
本発明に係る基地局の特徴は、バッテリーを備え、系統から供給される電力あるいは前記バッテリーから供給される電力によって駆動される基地局において、他の基地局に対して、前記バッテリーの蓄電残量を示す情報を送信する送信部（ネットワーク通信部１３２）を含む、ことを要旨とする。
【発明の効果】
【００１５】
本発明によれば、バッテリーの状況を考慮して基地局の設定を最適化可能になる。
【図面の簡単な説明】
【００１６】
【図１】第１実施形態及び第２実施形態に係る移動通信システムの全体構成図である。
【図２】第１実施形態及び第２実施形態に係る基地局のブロック図である。
【図３】第１実施形態に係る基地局の動作フローチャートである。
【図４】第１実施形態に係る基地局間シグナリングの具体例１のシーケンス図である。
【図５】ＬＯＡＤ  ＩＮＦＯＲＭＡＴＩＯＮメッセージのＩＥを説明するための図である。
【図６】第１実施形態に係る基地局間シグナリングの具体例２のシーケンス図である（その１）。
【図７】第１実施形態に係る基地局間シグナリングの具体例２のシーケンス図である（その２）。
【図８】ＲＥＳＯＵＲＣＥ  ＳＴＡＴＵＳ  ＲＥＱＵＥＳＴメッセージのＩＥを説明するための図である。
【図９】ＲＥＳＯＵＲＣＥ  ＳＴＡＴＵＳ  ＵＰＤＡＴＥメッセージのＩＥを説明するための図である。
【図１０】第２実施形態に係る基地局の動作フローチャートである。
【図１１】第２実施形態に係る基地局間シグナリングの具体例１のシーケンス図である。
【図１２】第２実施形態に係る基地局間シグナリングの具体例２のシーケンス図である。
【発明を実施するための形態】
【００１７】
図面を参照して、本発明の第１実施形態、第２実施形態、及びその他の実施形態を説明する。以下の各実施形態における図面において、同一又は類似の部分には同一又は類似の符号を付す。
【００１８】
（１）第１実施形態
（１．１）全体システム構成
図１は、移動通信システム１の全体構成図である。本実施形態に係る移動通信システム１は、ＬＴＥ  Ａｄｖａｎｃｅｄ（３ＧＰＰリリース１０以降）に基づいて構成される。
【００１９】
図１に示すように、移動通信システム１は、無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を有する。Ｅ−ＵＴＲＡＮは、複数の基地局（ｅＮＢ；ｅｖｏｌｖｅｄ  Ｎｏｄｅ  Ｂ）１０を含む。
【００２０】
複数の基地局１０のそれぞれは、系統からの電力によって駆動される。詳細については後述するが、基地局１０は、バッテリーを含んで構成されており、系統からの電力供給が停止（すなわち、停電）しても、バッテリーに蓄電されている電力によって駆動できるように構成される。
【００２１】
また、複数の基地局１０のそれぞれは、１又は複数のセルを形成する。ここで、セルとは、無線端末（ＵＥ；Ｕｓｅｒ  Ｅｑｕｉｐｍｅｎｔ）２０が通信可能な無線通信エリアの最小単位である。
【００２２】
無線端末２０-１は、基地局１０-１が形成するセルに在圏しており、基地局１０-１との通信を行う。無線端末２０-２は、基地局１０-２が形成するセルに在圏しており、基地局１０-２との通信を行う。無線端末２０-３は、基地局１０-３が形成するセルに在圏しており、基地局１０-３との通信を行う。
【００２３】
無線端末２０は、移動等に伴って、より無線状態の良好な基地局への切り替えを行う。このような基地局切り替えは、接続状態においてはハンドオーバと称され、アイドル状態においてはセル再選択と称される。本移動通信システムでは、無線端末２０のハンドオーバを行うか否かの決定権、及びハンドオーバ先の決定権は、無線端末２０の接続先の基地局が持つ。
【００２４】
移動通信システム１は、ＳＯＮ技術の一つであるＭＬＢ（Ｍｏｂｉｌｉｔｙ  Ｌｏａｄ  Ｂａｌａｎｃｉｎｇ）技術をサポートしており、基地局間の負荷を平準化するために、基地局間で送受信される負荷情報に基づいて、セル範囲（カバレッジ）を調整可能に構成される。
【００２５】
移動通信システム１においては、（相互に隣接する）基地局１０を相互接続するためのＸ２インターフェースが設定される。基地局１０は、Ｘ２インターフェースを用いて、自局に隣接する他の基地局１０との基地局間通信を行うように構成される。
【００２６】
さらに、移動通信システム１は、コアネットワークであるＥＰＣ（Ｅｖｏｌｖｅｄ  Ｐａｃｋｅｔ  Ｃｏｒｅ）を有する。
【００２７】
ＥＰＣは、複数の移動管理装置（ＭＭＥ；Ｍｏｂｉｌｉｔｙ  Ｍａｎａｇｅｍｅｎｔ  Ｅｎｔｉｔｙ）／ゲートウェイ装置（Ｓ−ＧＷ；Ｓｅｒｖｉｎｇ  Ｇａｔｅｗａｙ）３０を含む。移動管理装置は、無線端末２０に対する各種モビリティ制御を行うように構成される。ゲートウェイ装置は、無線端末２０が送受信するユーザデータの転送制御を行うように構成される。
【００２８】
基地局１０とＥＰＣとの間には、各基地局ｅＮＢをＥＰＣに接続するためのＳ１インターフェースが設定される。基地局１０は、Ｓ１インターフェースを用いて、ＥＰＣとの通信を行うように構成される。
【００２９】
（１．２）基地局の構成
次に、基地局１０の構成を説明する。図２は、基地局１０のブロック図である。図２において、各ブロック間における太線は電力ラインを示し、細線は通信信号ラインを示し、破線は制御信号ラインを示す。また、系統とは電力会社の配電系統を指し、バックホールネットワークとは通信事業者が構築する通信インフラネットワークを指す。
【００３０】
図２に示すように、基地局１０は、太陽光発電装置（以下、ＰＶと称する）１１と、バッテリー１２と、通信部１３と、電力伝達手段１４と、測定部１５と、記憶部１６と、制御部１７とを有する。本実施形態では、バッテリー１２、通信部１３、電力伝達手段１４、測定部１５、記憶部１６、制御部１７は、基地局本体（ケース体）１８に設けられる。
【００３１】
ＰＶ１１は、太陽光を受けて発電し、発電により得られた電力を出力する。本実施形態では、ＰＶ１１は、基地局本体１８とは別体で構成されているが、基地局本体１８と一体に構成されてもよい。
【００３２】
なお、本実施形態では、基地局１０がＰＶ１１を搭載する構成を主として説明するが、基地局１０は必ずしもＰＶ１１を搭載していなくてもよい。
【００３３】
通信部１３は、無線端末２０との無線通信を行うための無線通信部１３１と、ネットワーク側（ＥＰＣや他の基地局）との通信を行うためのネットワーク通信部１３２とを含む。
【００３４】
バッテリー１２は、ＰＶ１１で発電された電力と系統からの電力とを蓄電し、蓄電した電力を制御部１７の制御下で放電する。バッテリー１２は、例えばリチウム系のものであるが、電気自動車で使われたリサイクル型のものであってもよい。なお、ＰＶ１１を搭載しない基地局の場合、バッテリー１２は、系統からの電力を蓄電するＵＰＳ（Ｕｎｉｎｔｅｒｒｕｐｔｉｂｌｅ  Ｐｏｗｅｒ  Ｓｕｐｐｌｙ）システムのタイプでもよい。
【００３５】
電力伝達手段１４は、基地局１０の各ブロックに対して、系統からの電力を伝達するための経路（第１経路）１４１と、バッテリー１２からの電力を伝達するための経路（第２経路）１４２と、ＰＶからの電力を伝達するための経路（第３経路）１４３と、各経路を選択的にスイッチングするためのスイッチ（以下、ＳＷと称する）１４４と、を含む。
【００３６】
図２においては、ＳＷ１４４から通信部１３へ電力を伝達するための経路を図示しているが、実際には、ＳＷ１４４から他のブロック（制御部１７等）へ電力を伝達するための各経路も設けられる。
【００３７】
第１経路１４１上には、系統からの電力供給の停止（停電）を検出する検出部１４５が設けられる。停電の検出方法としては既存の技術を使用できる。検出部１４５は、停電を検出すると、その旨を制御部１７に通知する。
【００３８】
測定部１５は、制御部１７の制御下で、バッテリー１２に蓄電されている電力（以下、蓄電残量と称する）を測定する。測定部１５は、蓄電残量を測定すると、測定結果を記憶部に出力する。
【００３９】
記憶部１６は、制御部１７による制御に用いられる各種の情報を記憶する。本実施形態では、記憶部１６は、測定部１５により得られた蓄電残量を示す情報を記憶する。
【００４０】
制御部１７は、基地局１０の各種の機能を制御する。本実施形態では、制御部１７は、通信制御部１７１と電力制御部１７２とを有する。
【００４１】
通信制御部１７１は、通信部１３を制御する。詳細には、通信制御部１７１は、無線端末２０との無線通信（無線通信部１３１による通信）と、Ｘ２インターフェース及びＳ１インターフェースを用いた通信（ネットワーク通信部１３２による通信）とを制御する。
【００４２】
通信制御部１７１は、バッテリー１２の蓄電残量を示す情報（以下、蓄電残量情報と称する）を記憶部１６から取得し、取得した蓄電残量情報を、Ｘ２インターフェースを用いて他の基地局に送信するようネットワーク通信部１３２を制御する。通信制御部１７１は、蓄電残量情報の送信要求を他の基地局から受信したことを契機として、蓄電残量情報を当該他の基地局に送信するよう制御してもよい。
【００４３】
ここで、蓄電残量情報とは、バッテリー１２の蓄電残量の値（ワット数（Ｗ））であってもよく、バッテリー１２の蓄電残量の度合いを示す指標（例えば、Ｆｕｌｌが“11”、Ｍｉｄｄｌｅが“１０”、Ｌｏｗが“０１”、Ｅｍｐｔｙが“００”）であってもよい。
【００４４】
また、通信制御部１７１は、他の基地局の蓄電残量情報をネットワーク通信部１３２がＸ２インターフェースを用いて他の基地局から受信すると、受信した蓄電残量情報に基づいて、自局の負荷及び／又は当該他の基地局の負荷を調整するための制御を行う。
【００４５】
一例として、通信制御部１７１は、他の基地局の蓄電残量と自局の蓄電残量とを比較した結果、当該他の基地局の蓄電残量の方が少ないと判断した場合、自局が収容すべき無線端末２０の数を増やすための制御を行う。例えば、ハンドオーバ先として自局が優先されるようにハンドオーバ処理を行う、又はハンドオーバパラメータを調整する。あるいは、待ち受け先として自局が優先されるようにセル再選択パラメータを調整してもよい。
【００４６】
また、通信制御部１７１は、他の基地局の蓄電残量と自局の蓄電残量とを比較した結果、当該自局の蓄電残量の方が少ないと判断した場合、自局が収容すべき無線端末２０の数を減らすための制御を行う。例えば、ハンドオーバ先として当該他の基地局が優先されるようにハンドオーバ処理を行う、又はハンドオーバパラメータを調整する。あるいは、待ち受け先として当該他の基地局が優先されるようにセル再選択パラメータを調整してもよい。
【００４７】
電力制御部１７２は、ＳＷ１４４及びバッテリー１２を制御する。電力制御部１７２は、検出部１４５で停電が検出されると、バッテリー１２から各ブロックへ電力を供給するようＳＷ１４４を制御する。基地局１０がＰＶ１１を搭載する場合、バッテリー１２だけでなく、ＰＶ１１からも電力を供給するよう制御する。この場合、バッテリー１２の放電制御については、時間帯や気象情報等に基づいてＰＶ１１による発電電力の不足分をバッテリー１２で賄うよう制御することが望ましい。
【００４８】
また、電力制御部１７２は、測定部１５を制御する。電力制御部１７２は、検出部１４５が停電を検出すると、バッテリー１２の蓄電残量の測定を開始するよう測定部１５を制御する。測定は、周期的（例えば、２０ｍｓｅｃ〜数分毎）に実行される。なお、停電を検出してから所定時間経過後に、バッテリー１２の蓄電残量の測定を開始するようにしてもよい。そして、電力制御部１７２は、系統からの電力供給が再開するまで測定を実行する（電力供給が再開されるまで測定を中止しない）よう制御する。
【００４９】
さらに、電力制御部１７２は、記憶部１６を制御する。電力制御部１７２は、蓄電残量の測定結果を記憶部１６に記憶させる。電力制御部１７２は、測定がなされる度に、記憶部１６に記憶される蓄電残量情報を更新する。記憶部１６に記憶された蓄電残量情報は、上述したように、通信制御部１７１で利用される。
【００５０】
（１．３）基地局の動作
次に、停電検出時における基地局１０の動作を説明する。図３は、停電検出時における基地局１０の動作フローチャートである。
【００５１】
図３に示すように、ステップＳ１１において、検出部１４５は、停電を検出する。
【００５２】
ステップＳ１２において、電力制御部１７２は、検出部１４５により停電が検出されたときに、又は当該停電の検出から所定時間経過後に、バッテリー１２の蓄電残量の測定を開始するよう測定部１５を制御する。
【００５３】
ステップＳ１３において、電力制御部１７２は、蓄電残量の測定結果を記憶部１６に記憶させる。
【００５４】
ステップＳ１４において、通信制御部１７１は、蓄電残量情報を記憶部１６から取得し、取得した蓄電残量情報を、Ｘ２インターフェースを用いて他の基地局に送信するようネットワーク通信部１３２を制御する。通信制御部１７１は、蓄電残量情報の送信要求を他の基地局から受信したことを契機として、蓄電残量情報を当該他の基地局に送信するよう制御してもよい。
【００５５】
ステップＳ１５において、通信制御部１７１は、自局の負荷及び／又は他の基地局の負荷を調整するための負荷制御を行う。通信制御部１７１は、自局の蓄電残量と他の基地局の蓄電残量とを比較した結果に応じて、ハンドオーバ制御を行う。例えば、通信制御部１７１は、他の基地局におけるバッテリーの蓄電残量が、自局におけるバッテリーの蓄電残量よりも上回った場合で、かつ、当該他の基地局におけるバッテリーの蓄電残量が所定値以上になっている場合には、自局の配下の無線端末２０のハンドオーバ先として当該他の基地局を選択し、当該他の基地局へのハンドオーバ処理を実行する。
【００５６】
（１．４）基地局間シグナリングの具体例
以下において、蓄電残量情報の送受信に係る基地局間シグナリングの具体例を説明する。
【００５７】
（１．４．１）具体例１
図４は、蓄電残量情報の送受信に係る基地局間シグナリングの具体例１のシーケンス図である。図４においては、相互に隣接する各基地局１０の一方をｅＮＢ１と表記し、他方をｅＮＢ２と表記している。
【００５８】
図４に示すように、ｅＮＢ１は、Ｘ２インターフェースを用いて、蓄電残量情報をＬＯＡＤ  ＩＮＦＯＲＭＡＴＩＯＮメッセージに含めてｅＮＢ２に送信する。ｅＮＢ２は、Ｘ２インターフェースを用いて、蓄電残量情報を含むＬＯＡＤ  ＩＮＦＯＲＭＡＴＩＯＮメッセージを受信する。
【００５９】
図５は、ＬＯＡＤ  ＩＮＦＯＲＭＡＴＩＯＮメッセージの情報要素（ＩＥ）を説明するための図である。図５の下線部以外は、３ＧＰＰ規格で規定されるＬＯＡＤ  ＩＮＦＯＲＭＡＴＩＯＮメッセージのＩＥと同じである（例えば、３ＧＰＰ  ＴＳ  ３６．４２３  V１０．１．０  「９．１．２．１  ＬＯＡＤ  ＩＮＦＯＲＭＡＴＩＯＮ」参照）。
【００６０】
図５に示すように、ＬＯＡＤ  ＩＮＦＯＲＭＡＴＩＯＮメッセージは、既存のＬＯＡＤ  ＩＮＦＯＲＭＡＴＩＯＮメッセージのＩＥに加えて、蓄電残量情報としてのＢａｔｔｅｒｙ  Ｉｎｄｉｃａｔｉｏｎ  ＩＥを含む。
【００６１】
なお、ＬＯＡＤ  ＩＮＦＯＲＭＡＴＩＯＮメッセージは、本メッセージの送信元のセル（ソースセル）のＩＤを含み、ソースセル単位で送信される。このため、１つの基地局が複数のセルを形成する場合であって、複数のセル毎に異なるバッテリー１２を搭載する場合には、ソースセル毎に異なるＢａｔｔｅｒｙ  Ｉｎｄｉｃａｔｉｏｎ  ＩＥを送信できる。
【００６２】
また、ＬＯＡＤ  ＩＮＦＯＲＭＡＴＩＯＮメッセージは、蓄電残量を示すＢａｔｔｅｒｙ  Ｉｎｄｉｃａｔｉｏｎ  ＩＥと、基地局間干渉制御のための各ＩＥ（ＵＬ  Ｉｎｔｅｒｆｅｒｅｎｃｅ  Ｏｖｅｒｌｏａｄ  Ｉｎｄｉｃａｔｉｏｎ、ＵＬ  Ｈｉｇｈ  Ｉｎｔｅｒｆｅｒｅｎｃｅ  Ｉｎｆｏｒｍａｔｉｏｎ、Ｒｅｌａｔｉｖｅ  Ｎａｒｒｏｗｂａｎｄ  Ｔｘ  Ｐｏｗｅｒ等）と、をオプションとして含むが、停電検出時にはＢａｔｔｅｒｙ  Ｉｎｄｉｃａｔｉｏｎ  ＩＥをＬＯＡＤ  ＩＮＦＯＲＭＡＴＩＯＮメッセージに含めなければならないとすることが望ましい。
【００６３】
（１．４．２）具体例２
図６及び図７は、蓄電残量情報の送受信に係る基地局間シグナリングの具体例２のシーケンス図である。図６及び図７においては、相互に隣接する各基地局１０の一方をｅＮＢ１と表記し、他方をｅＮＢ２と表記している。
【００６４】
図６に示すように、ｅＮＢ１は、Ｘ２インターフェースを用いて、蓄電残量情報の送信要求を含むＲＥＳＯＵＲＣＥ  ＳＴＡＴＵＳ  ＲＥＱＵＥＳＴメッセージをｅＮＢ２に送信する。ｅＮＢ２は、Ｘ２インターフェースを用いて、蓄電残量情報の送信要求を含むＲＥＳＯＵＲＣＥ  ＳＴＡＴＵＳ  ＲＥＱＵＥＳＴメッセージを受信する。
【００６５】
ｅＮＢ２は、Ｘ２インターフェースを用いて、ＲＥＳＯＵＲＣＥ  ＳＴＡＴＵＳ  ＲＥＱＵＥＳＴメッセージに対する肯定応答であるＲＥＳＯＵＲＣＥ  ＳＴＡＴＵＳ  ＲＥＳＰＯＮＳＥメッセージをｅＮＢ１に送信する。ｅＮＢ１は、Ｘ２インターフェースを用いて、ＲＥＳＯＵＲＣＥ  ＳＴＡＴＵＳ  ＲＥＳＰＯＮＳＥメッセージを受信する。
【００６６】
なお、ＲＥＳＯＵＲＣＥ  ＳＴＡＴＵＳ  ＲＥＱＵＥＳＴメッセージは、複数の送信対象項目（測定対象項目）の中から１つ又は複数を指定可能に構成されているが、指定された送信対象項目の何れも実行できない場合には、ＲＥＳＯＵＲＣＥ  ＳＴＡＴＵＳ  ＲＥＳＰＯＮＳＥメッセージに代えてＲＥＳＯＵＲＣＥ  ＳＴＡＴＵＳ  Ｆａｉｌｕｒｅメッセージが送信される。
【００６７】
図７に示すように、ＲＥＳＯＵＲＣＥ  ＳＴＡＴＵＳ  ＲＥＳＰＯＮＳＥメッセージを送信したｅＮＢ２は、ＲＥＳＯＵＲＣＥ  ＳＴＡＴＵＳ  ＲＥＱＵＥＳＴメッセージで指定された条件に従って測定を行い、測定結果を示すＲＥＳＯＵＲＣＥ  ＳＴＡＴＵＳ  ＵＰＤＡＴＥメッセージを定期的にｅＮＢ１に送信する。
【００６８】
図８は、ＲＥＳＯＵＲＣＥ  ＳＴＡＴＵＳ  ＲＥＱＵＥＳＴメッセージのＩＥを説明するための図である。図８の下線部以外は、３ＧＰＰ規格で規定されるＲＥＳＯＵＲＣＥ  ＳＴＡＴＵＳ  ＲＥＱＵＥＳＴメッセージのＩＥと同じである（例えば、３ＧＰＰ  ＴＳ  ３６．４２３  V１０．１．０  「９．１．２．１１  ＲＥＳＯＵＲＣＥ  ＳＴＡＴＵＳ  ＲＥＱＵＥＳＴ」参照）。
【００６９】
図８に示すように、ＲＥＳＯＵＲＣＥ  ＳＴＡＴＵＳ  ＲＥＱＵＥＳＴメッセージは、送信対象項目（測定対象項目）を指定するためのＲｅｐｏｒｔ  Ｃｈａｒａｃｔｅｒｉｓｔｉｃｓにおいて、蓄電残量情報を指定可能に構成されている点が既存のＲＥＳＯＵＲＣＥ  ＳＴＡＴＵＳ  ＲＥＱＵＥＳＴメッセージとは異なる。
【００７０】
詳細には、Ｒｅｐｏｒｔ  Ｃｈａｒａｃｔｅｒｉｓｔｉｃｓは、ビットの位置が送信対象項目（測定対象項目）と対応付けられたビット列として構成されており、１ビット目がＰＲＢ  Ｐｅｒｉｏｄｉｃ、２ビット目がＴＮＬ  ｌｏａｄ  Ｉｎｄ  Ｐｅｒｉｏｄｉｃ、３ビット目がＨＷ  Ｌｏａｄ  Ｉｎｄ  Ｐｅｒｉｏｄｉｃ、４ビット目がＣｏｍｐｏｓｉｔｅ  Ａｖａｉｌａｂｌｅ  Ｃａｐａｃｉｔｙ  Ｐｅｒｉｏｄｉｃ、５ビット目がＡＢＳ  Ｓｔａｔｕｓ  Ｐｅｒｉｏｄｉｃ、６ビット目がＢａｔｔｅｒｙ  Ｓｔａｔｕｓ  Ｐｅｒｉｏｄｉｃに対応する。ここで、Ｂａｔｔｅｒｙ  Ｓｔａｔｕｓ  Ｐｅｒｉｏｄｉｃに対応するビット（６ビット目）が“１”であることは、Ｂａｔｔｅｒｙ  Ｓｔａｔｕｓ  ＩＥの送信を要求することに相当する。
【００７１】
ここで、Ｂａｔｔｅｒｙ  Ｓｔａｔｕｓは蓄電残量情報に相当する。なお、ＰＲＢは時間周波数リソースの割り当て単位であるＰＲＢ（Ｐｈｙｓｉｃａｌ  Ｒｅｓｏｕｒｃｅ  Ｂｌｏｃｋ）の使用数を示し、ＴＮＬ  ｌｏａｄ  Ｉｎｄは基地局とコアネットワークとの間のバックホールの負荷を示し、ＨＷ  Ｌｏａｄ  Ｉｎｄは基地局のハードウェア負荷を示し、Ｃｏｍｐｏｓｉｔｅ  Ａｖａｉｌａｂｌｅ  Ｃａｐａｃｉｔｙは基地局の相対的な通信容量を示す指標である容量クラスとその中で利用可能な通信容量の割合を示す。また、ＲＥＳＯＵＲＣＥ  ＳＴＡＴＵＳ  ＲＥＱＵＥＳＴメッセージは、測定結果の報告（送信）を行う周期をＲｅｐｏｒｔｉｎｇ  Ｐｅｒｉｏｄｉｃｉｔｙで指定可能に構成されている。
【００７２】
ＲＥＳＯＵＲＣＥ  ＳＴＡＴＵＳ  ＲＥＱＵＥＳＴメッセージは、送信対象項目として、ＰＲＢ、ＴＮＬ  ｌｏａｄ  Ｉｎｄ、ＨＷ  Ｌｏａｄ  Ｉｎｄ、Ｃｏｍｐｏｓｉｔｅ  Ａｖａｉｌａｂｌｅ  Ｃａｐａｃｉｔｙ、Ｂａｔｔｅｒｙ  Ｓｔａｔｕｓ等をオプションとして含むが、停電検出時にはＢａｔｔｅｒｙ  Ｓｔａｔｕｓを送信対象項目として指定しなければならないとすることが望ましい。
【００７３】
図９は、ＲＥＳＯＵＲＣＥ  ＳＴＡＴＵＳ  ＵＰＤＡＴＥメッセージのＩＥを説明するための図である。図９の下線部以外は、３ＧＰＰ規格で規定されるＲＥＳＯＵＲＣＥ  ＳＴＡＴＵＳ  ＵＰＤＡＴＥメッセージのＩＥと同じである（例えば、３ＧＰＰ  ＴＳ  ３６．４２３  V１０．１．０  「ＲＥＳＯＵＲＣＥ  ＳＴＡＴＵＳ  ＵＰＤＡＴＥ」参照）。
【００７４】
図９に示すように、ＲＥＳＯＵＲＣＥ  ＳＴＡＴＵＳ  ＵＰＤＡＴＥメッセージは、既存のＲＥＳＯＵＲＣＥ  ＳＴＡＴＵＳ  ＵＰＤＡＴＥメッセージのＩＥに加えて、蓄電残量情報としてのＢａｔｔｅｒｙ  Ｓｔａｔｕｓ  ＩＥを含む。
【００７５】
なお、ＲＥＳＯＵＲＣＥ  ＳＴＡＴＵＳ  ＵＰＤＡＴＥメッセージは、セル単位で送信される。このため、１つの基地局が複数のセルを形成する場合であって、複数のセル毎に異なるバッテリー１２を搭載する場合には、セル毎に異なるＢａｔｔｅｒｙ  Ｓｔａｔｕｓ  ＩＥを送信できる。
【００７６】
（１．５）第１実施形態の効果
以上説明したように、第１実施形態によれば、各基地局１０は、他の基地局１０の蓄電残量を考慮した負荷制御を行うことができる。
【００７７】
これにより、蓄電残量の少ない基地局１０の負荷を低減させることで、当該基地局１０の消費電力を低減させることができ、当該基地局１０の駆動可能時間を延長可能になる。
【００７８】
よって、特に停電時において、移動通信システム１のサービスエリアに通信不能エリアが生じることを防止できる。
【００７９】
さらに、新たなメッセージを定義することなく、３ＧＰＰ規格で規定されるメッセージに蓄電残量情報のＩＥを追加することによって、既存規格との互換性を保つことができる。
【００８０】
（１．６）第１実施形態の変更例
上述した第１実施形態では、停電を検出したとき、又は停電検出から所定時間経過後に、蓄電残量情報の送信又は送信要求を行うとしていた。
【００８１】
近年では、系統全体の停電を回避するために、計画的に地域毎に順次停電を行う計画停電（輪番停電）という制度が開始されており、停電の発生する時間（期間）を予め把握することが可能である。
【００８２】
そこで、本変更例では、計画停電に関する情報（以下、計画停電情報と称する）に基づいて、停電が予定される時間よりも前において、蓄電残量情報の送信又は送信要求を開始する。詳細には、基地局１０の電力制御部１７２は、ネットワーク通信部１３２がネットワーク側から受信した計画停電情報を取得し、取得した計画停電情報に基づいて、停電開始予定時刻よりも前において、バッテリー１２の蓄電残量の測定を開始し、蓄電残量情報の送信又は送信要求を開始する。
【００８３】
（２）第２実施形態
上述した第１実施形態では、ＳＯＮ技術の一つであるＭＬＢ（Ｍｏｂｉｌｉｔｙ  Ｌｏａｄ  Ｂａｌａｎｃｉｎｇ）技術に本発明を適用する一例を説明した。第２実施形態では、ＳＯＮ技術の一つであるＥＳ（Ｅｎｅｒｇｙ  Ｓａｖｉｎｇ）技術に本発明を適用する一例を説明する。第２実施形態においては、上述した第１実施形態との相違点を説明する。
【００８４】
（２．１）基地局の動作
図１０は、第２実施形態に係る基地局１０の動作フローチャートである。
【００８５】
図１０に示すように、ステップＳ２１において、ネットワーク通信部１３２は、他の基地局からの蓄電残量情報を受信する。
【００８６】
ステップＳ２２において、電力制御部１７２は、バッテリー１２の蓄電残量を測定するよう測定部１５を制御する。
【００８７】
ステップＳ２３において、電力制御部１７２は、通信制御部１７１は、自局の蓄電残量と他の基地局の蓄電残量とを比較し、当該比較の結果に応じて、省電力制御を行う。例えば、電力制御部１７２は、自局の蓄電残量よりも他の基地局の蓄電残量が少ない場合であって、かつ、自局の蓄電残量が閾値を下回る場合に、無線通信部１３１が形成する一部のセルに対応する送信電力をゼロにする、又は、無線通信部１３１が形成する一部又は全部のセルに対応する送信電力を低下させるよう制御する。無線通信部１３１が形成する一部のセルに対応する送信電力をゼロにする（オフする）場合には、その旨を他の基地局に通知する。
【００８８】
なお、このような省電力制御の結果、他の基地局の蓄電残量が自局の蓄電残量よりも少なくなった場合には、当該省電力制御を中止し、元の状態に復帰することが望ましい。
【００８９】
（２．２）シグナリングの具体例
（２．２．１）具体例１
図１１は、蓄電残量情報の送受信に係る基地局間シグナリングの具体例１のシーケンス図である。図１１においては、相互に隣接する各基地局１０の一方をｅＮＢ１と表記し、他方をｅＮＢ２と表記している。
【００９０】
図１１に示すように、ステップＳ１０１において、ｅＮＢ１は、Ｘ２インターフェースを用いて、上述したＢａｔｔｅｒｙ  Ｉｎｄｉｃａｔｉｏｎ  ＩＥを含むＬＯＡＤ  ＩＮＦＯＲＭＡＴＩＯＮメッセージをｅＮＢ２に送信する。ｅＮＢ２は、Ｘ２インターフェースを用いて、Ｂａｔｔｅｒｙ  Ｉｎｄｉｃａｔｉｏｎ  ＩＥを含むＬＯＡＤ  ＩＮＦＯＲＭＡＴＩＯＮメッセージを受信する。
【００９１】
ステップＳ１０２において、ｅＮＢ２は、自局の蓄電残量を測定する。
【００９２】
ステップＳ１０３において、ｅＮＢ２は、他の基地局（ｅＮＢ１）の蓄電残量と自局（ｅＮＢ２）の蓄電残量とを比較する。ここでは、他の基地局（ｅＮＢ１）の蓄電残量よりも自局（ｅＮＢ２）の蓄電残量が少ないとする。
【００９３】
ステップＳ１０４において、ｅＮＢ２は、他の基地局（ｅＮＢ１）の蓄電残量よりも自局（ｅＮＢ２）の蓄電残量が少ないことに応じて、無線通信部１３１が形成する一部のセルに対応する送信電力をゼロにする（オフする）。なお、複数のコンポーネントキャリアを使用するキャリアアグリゲーション技術が適用されている場合には、一部のコンポーネントキャリアに対応する送信電力をゼロにする（オフする）としてもよい。
【００９４】
ステップＳ１０５において、ｅＮＢ２は、Ｘ２インターフェースを用いて、オフしたセル（又はコンポーネントキャリア）を通知するためのＤｅａｃｔｉｖａｔｉｏｎ  Ｉｎｄｉｃａｔｉｏｎ  ＩＥを含むＥＮＢ  ＣＯＮＦＩＧＵＲＡＴＩＯＮ  ＵＰＤＡＴＥメッセージをｅＮＢ１に送信する。
【００９５】
（２．２．２）具体例２
図１２は、蓄電残量情報の送受信に係る基地局間シグナリングの具体例２のシーケンス図である。図１２においては、相互に隣接する各基地局１０の一方をｅＮＢ１と表記し、他方をｅＮＢ２と表記している。また、本シーケンスの開始時点において、ｅＮＢ１の少なくとも一部のセル（又はコンポーネントキャリア）はオフされているとする。
【００９６】
図１２に示すように、ステップＳ２０１において、ｅＮＢ２は、Ｘ２インターフェースを用いて、送信対象項目としてＢａｔｔｅｒｙ  Ｓｔａｔｕｓを指定したＲＥＳＯＵＲＣＥ  ＳＴＡＴＵＳ  ＲＥＱＵＥＳＴメッセージをｅＮＢ１に送信する。ｅＮＢ１は、Ｘ２インターフェースを用いて、送信対象項目としてＢａｔｔｅｒｙ  Ｓｔａｔｕｓを指定したＲＥＳＯＵＲＣＥ  ＳＴＡＴＵＳ  ＲＥＱＵＥＳＴメッセージを受信する。ｅＮＢ１は、ＲＥＳＯＵＲＣＥ  ＳＴＡＴＵＳ  ＲＥＱＵＥＳＴメッセージを受信した後、自局の蓄電残量を測定する。
【００９７】
ステップＳ２０２において、ｅＮＢ１は、Ｘ２インターフェースを用いて、測定した自局の蓄電残量を示すＢａｔｔｅｒｙ  Ｓｔａｔｕｓ  ＩＥを含むＲＥＳＯＵＲＣＥ  ＳＴＡＴＵＳ  ＵＰＤＡＴＥメッセージをｅＮＢ２に送信する。ｅＮＢ２は、Ｘ２インターフェースを用いて、Ｂａｔｔｅｒｙ  Ｓｔａｔｕｓ  ＩＥを含むＲＥＳＯＵＲＣＥ  ＳＴＡＴＵＳ  ＵＰＤＡＴＥメッセージを受信する。
【００９８】
ステップＳ２０３において、ｅＮＢ２は、自局の蓄電残量を測定する。
【００９９】
ステップＳ２０４において、ｅＮＢ２は、他の基地局（ｅＮＢ１）の蓄電残量と自局（ｅＮＢ２）の蓄電残量とを比較する。ここでは、他の基地局（ｅＮＢ１）の蓄電残量よりも自局（ｅＮＢ２）の蓄電残量が少ないとする。
【０１００】
ステップＳ２０５において、ｅＮＢ２は、他の基地局（ｅＮＢ１）の蓄電残量よりも自局（ｅＮＢ２）の蓄電残量が少ないことに応じて、Ｘ２インターフェースを用いて、他の基地局（ｅＮＢ１）の少なくとも一部のセル（又はコンポーネントキャリア）のオンを要求するためのＡＣＴＩＶＡＴＩＯＮ  ＲＥＱＵＥＳＴメッセージをｅＮＢ１に送信する。ｅＮＢ１は、Ｘ２インターフェースを用いて、ＡＣＴＩＶＡＴＩＯＮ  ＲＥＱＵＥＳＴメッセージを受信する。
【０１０１】
ステップＳ２０６において、ｅＮＢ１は、ＡＣＴＩＶＡＴＩＯＮ  ＲＥＱＵＥＳＴメッセージを受信したことに応じて、オフしていた一部のセル（又はコンポーネントキャリア）をオンする。
【０１０２】
（２．３）第２実施形態の効果
以上説明したように、第２実施形態によれば、各基地局１０は、他の基地局１０の蓄電残量を考慮した省電力制御を行うことができる。
【０１０３】
これにより、蓄電残量の少ない基地局１０の消費電力を低減させることができ、当該基地局１０の駆動可能時間を延長可能になる。ただし、本実施形態では、基地局１０の一部のセルがオフすることによって通信不能エリアが生じる可能性があるが、隣接する基地局のセルがオン状態であれば、大きな通信不能エリアが生じることはない。
【０１０４】
よって、特に停電時において、移動通信システム１のサービスエリアに大きな通信不能エリアが生じることを防止できる。
【０１０５】
（３）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０６】
上述した各実施形態では、Ｘ２インターフェースを用いて蓄電残量情報を送受信する一例を説明したが、Ｓ１インターフェースを用いて蓄電残量情報を送受信してもよい。例えば、移動管理装置ＭＭＥが配下の各基地局１０の蓄電残量を管理し、蓄電残量の少ない基地局１０の負荷を低減させる、又は蓄電残量の少ない基地局１０の消費電力を低減させるように各基地局１０を制御してもよい。あるいは、移動管理装置ＭＭＥが、基地局１０間で送受信される蓄電残量情報を中継してもよい。
【０１０７】
上述した各実施形態では、停電を検出したとき、停電検出から所定時間経過後、さらには、計画停電情報に基づいて、停電が予定される時間よりも前において、蓄電残量情報の送信又は送信要求を行うとしていたが、以下に示す基地局１０が複数構成された移動通信システムの場合には、日常的に、各基地局１０が、他の基地局１０に対して蓄電残量情報の送信又は送信要求を行うようにしてもよい。
【０１０８】
具体的には、ＰＶ１１、バッテリー１２、および系統からの電力によって駆動する基地局１０の場合、基地局１０の電力制御部１７２は、昼時間帯における電力価格よりも低価格となる深夜時間帯の電力をバッテリー１２に充電し、例えば、午前７時からバッテリー１２に蓄電された電力によって基地局１０が駆動するように制御する。このとき、電力制御部１７２は、ＰＶ１１で発電された電力も適宜基地局１０が消費するように制御する。電力制御部１７２は、バッテリー１２およびＰＶ１１からの電力が不足する場合には、緊急的に系統からの電力によって基地局１０が駆動するように制御する。このような基地局１０の場合には、バッテリー１２がメイン電源の一つとなるため、各基地局１０が、定期的に、蓄電残量情報の送信又は送信要求を行うことによって、各基地局１０がそれぞれ他の基地局１０の蓄電残量情報を把握できるため、適宜、電力事情が考慮したＭＬＢやＥＳ等を実行できる。
【０１０９】
このように本発明は、ここでは記載していない様々な実施形態等を包含するということを理解すべきである。
【符号の説明】
【０１１０】
１…移動通信システム、１０…基地局、１１…ＰＶ、１２…バッテリー、１３…通信部、１４…電力伝達手段、１５…測定部、１６…記憶部、１７…制御部、１８…基地局本体、２０…無線端末、１３１…無線通信部、１３２…ネットワーク通信部、１４４…ＳＷ、１４５…検出部、１７１…通信制御部、１７２…電力制御部
【図１】
0005759266.tif 000002
【図２】
0005759266.tif 000003
【図３】
0005759266.tif 000004
【図４】
0005759266.tif 000005
【図５】
0005759266.tif 000006
【図６】
0005759266.tif 000007
【図７】
0005759266.tif 000008
【図８】
0005759266.tif 000009
【図９】
0005759266.tif 000010
【図１０】
0005759266.tif 000011
【図１１】
0005759266.tif 000012
【図１２】
0005759266.tif 000013